(57)【要約】【課題】  自然界で活用されず放置状態にあり、入手が容易な竹繊維や、葦・藁・薄等のイネ科植物繊維の天然繊維を主材料とし、生分解性に優れたパーム繊維を混合させ、これに防虫剤や、必要に応じて難燃剤や防黴剤を混入して、人体に優しいマット用の芯材を得ることと、この芯材を利用したマットの提供。【解決手段】  加圧圧搾して繊維化された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と、デンプンが吸水して粘性を生ずるに足る適量の水とを加えて加圧・撹拌・混練した混練材を、成形用型枠に入れて加圧し任意の厚さと形状に成形して乾燥させて得たマット用芯材。このようにして得たマット用芯材を、表面側包装材と背面側包装材と外周包装材とによって全周面を包み込んで内装したもの。【選択図】      図１
2006239909.tif 000002
【特許請求の範囲】
【請求項１】
加圧圧搾して繊維化された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と、前記デンプンが吸水して粘性を生ずるに足る適量の水とを加えて加圧・撹拌・混練した混練材を、成形用型枠に入れて加圧し任意の厚さと形状に成形して乾燥させて得たマット用芯材。
【請求項２】
加圧圧搾して繊維化されるとともに煮沸処理された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と難燃剤及び防黴剤、前記デンプンが吸水して粘性を生ずるに足る適量の水とを加えて加圧・撹拌・混練した混練材を、成形用型枠に入れて加圧し任意の厚さと形状に成形して乾燥させて得たマット用芯材。
【請求項３】
加圧圧搾して繊維化された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と、前記デンプンが吸水して粘性を生ずるに足る適量の水とを加えて加圧・撹拌・混練した混練材を、成形用型枠に入れて加圧し任意の厚さと形状に成形させ、乾燥させて得たマット用芯材１を、表面側包装材２Ａと背面側包装材２Ｂと外周包装材３とによって全周面を包み込んで内装してあるマット。
【発明の詳細な説明】
【技術分野】
【０００１】
本発明は、一般家庭内や、お堂やオフィス内において使用するマット材、より具体的には、一般に使用されている畳、床の間に敷く畳、主として寺社等の広い板間に敷いて用いる畳風座布団、家庭のフロアーや縁側、濡れ縁等の板面や椅子の上に敷いて用いる座布団や敷きマット用に使用される芯材と、この芯材を用いて製作した畳類や座布団類等のマットに関するものである。
【背景技術】
【０００２】
現在、この種のマット類には多種多様のものがあり、何れのものも古くから一般に使用されている。現在のこれらマット類の芯材は、畳の場合には、主として稲藁が自然状態のまま引き揃えられて使用され、座布団類の場合には、主として綿花や化学繊維、ウレタン発泡体のような発泡材が適宜の厚さに形成されて使用されている。
【０００３】
しかしながら、これらのマット類にあっては、何れのものにあっても素材に天然素材か石油化学製品が使用されており、あり余るほど充分に存在する素材ではなく、何等かの代用素材が求められている。他方、これらのものは人体と密接に接触するものであるため、衛生上の問題から防虫、防ダニ、防菌処理を施しておく必要性を含んでいるものである。そこで畳にあっては、消臭、抗菌、防ダニ効果と、更にはマイナスイオンの効果や遠赤外線の効果を狙って、畳床と畳表との間にトルマリン粉末層を介在させることや、拡散性ホウ酸塩を含んだ繊維質材料を使用することが提案されている。
【特許文献１】特開２００２−１３８６５６号公報
【特許文献２】特開２００５−３４６０４号公報
【発明の開示】
【発明が解決しようとする課題】
【０００４】
これらの先行技術の内、前者の畳類にあっては、芯材として主として使用されている稲藁が、米の高収穫化に伴って藁の長さが短尺化の傾向にあり、充分な長さの藁が得にくいことと、集荷と運送費の関係から大量の藁の入手そのものが困難になりつつあることにより、同様に綿繊維の入手も輸入に頼っている現状にあって充分とはいえず、化学繊維やウレタン発泡材のような石油化学製品にあっては、石油の費消につながるのみならず、廃棄に当たっては焼却処分であっても地中埋設処分であっても地球汚染につながるという点で好ましいものではない。
【０００５】
そこで、本発明にあっては、このような従来のマット類やその芯材が有していたこれらの課題を解決するために、廃棄処分したとき焼却させても有害ガスを発生することがなく殊に地中埋設した場合には生分解性に優れていて土壌改良に役立たせることができる繊維素材であって、現在時点では自然界において活用されることなく放置状態にされていて、入手が容易な竹繊維や、葦・藁・薄等のイネ科植物繊維のような非木材系の天然繊維を主材料とし、同じく生分解性に優れたパーム繊維を混合させ、これに適量の防虫剤を混入したり、必要に応じて難燃剤や防黴剤を混入して、人体に優しいマット用の芯材とこの芯材を利用したマットを提供しようとするものである。
【課題を解決するための手段】
【０００６】
該目的を達成するために講じた本発明にいうところのマット用芯材の第１の構成は、加圧圧搾して繊維化された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と、前記デンプンが吸水して粘性を生ずるに足る適量の水とを加えて加圧・撹拌・混練した混練材を、成形用型枠に入れて加圧し任意の厚さと形状に成形して乾燥させて得るようにしたものである。
【０００７】
また、第２の構成は、加圧圧搾して繊維化されるとともに煮沸処理された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と難燃剤及び防黴剤、前記デンプンが吸水して粘性を生ずるに足る適量の水とを加えて加圧・撹拌・混練した混練材を、成形用型枠に入れて加圧し任意の厚さと形状に成形して乾燥させて得るようにしたものである。
【０００８】
更に、マットの構成は、加圧圧搾して繊維化された竹繊維と、葦・藁・薄等のイネ科植物繊維とからなる非木材繊維１００重量部に対して、打壊処理されたパーム繊維３０〜７０重量部と、デンプン１〜３重量部と、適量の防虫剤と、前記デンプンが吸水して粘性を生ずるに足る適量の水とを加えて加圧・撹拌・混練した混練材を、成形用型枠に入れて加圧し任意の厚さと形状に成形させ、乾燥させて得たマット用芯材１を、表面側包装材２Ａと背面側包装材２Ｂと外周包装材３とによって全周面を包み込んで内装してある構造としたものである。
【発明の効果】
【０００９】
本発明の請求項１及び２にいうところの発明は、特に現在自然界において有効利用されることなく放棄されている非木材の繊維に着目し、これを有効活用するものであるから、自然の浄化に役立ち、廃棄処分に当たって焼却処分した場合でも有毒ガスの発生を生じることがなく、地中に埋設処分した場合には微生物処理されて確実に土壌化され、地球汚染につながることがなく、地球に優しく、また、人にも優しいマット用芯材が得られるという利点がある。
【００１０】
また、請求項３にいうところの発明は、このような自然と人体に優しいマット用芯材を利用して畳類や座布団類等のマットを形成するものであるから、同様に地球に優しく、人にも優しいマットが得られるという効果を期待することが出来る。
【発明を実施するための最良の形態】
【００１１】
本発明を実施するに当たっては、構成要件中にいうところの非木材繊維を、煮沸処理して使用することにより、即ち、竹繊維と葦・藁・薄等の加圧圧搾した繊維を煮沸処理して使用したり、竹繊維だけを生のままとして、竹繊維が備えている抗菌性、殺菌性や人体に対する精神安定性、鎮静作用を有効利用し、葦・藁・薄等の繊維を煮沸処理して使用したり、かつ、必要に応じてパーム繊維も煮沸処理したものを使用することによって、虫の発生と黴の発生の少ないマット用芯材を得ることが出来る。
【００１２】
しかしながら、防虫・防ダニ・抗菌・防カビ手段としては、前記の煮沸手段に代えて、混合繊維を熱湯内を通過させるとか、噴射蒸気で照射することによっても殺菌・殺虫処理を成形前に施しておくことができる。このような成形前処理を施した後に、成形して乾燥させるか、このような殺菌・殺虫処理を施さないで成形した後に、成形品の乾燥時に赤外線のような加熱照射手段によって殺菌・殺虫処理を施す手段を講じておくことによっても効果を期待することができる。
【００１３】
また、上記構成要件中にいうところの防黴剤としては、山椒の葉や、実、樹皮、小枝、唐辛子の実や、葉、茎、種子等を適宜混合して使用することができる。また、木炭粉末や竹炭粉末、消石灰、シリカ（無定形二酸化ケイ素）等も混合使用することができ、柿渋精製液、ヒバ精製液等の利用も効果がある。
【００１４】
防虫剤としては、ラベンダー、レモングラス、バジル、ペパーミント、除虫菊、ショウノウ等の使用が効果がある。
【００１５】
難燃剤としては、非ハロゲン燐酸エステル、非ハロゲン縮合燐酸エステル、含ハロゲン燐酸エステル、含ハロゲン縮合燐酸エステル等から選ばれた物質を混入使用することができる。
【００１６】
以下本発明の実施例について図面に基づいて説明する。
【実施例１】
【００１７】
図中、図１及び図２は、第１実施例を示した図であって、本発明にいうところのマット用芯材１を利用した畳Ｍの実施例を示したものである。この畳Ｍに使用したマット用芯材１は、図２にその概略外観を示したように、植物繊維の短繊維や粉末状繊維の混合集合体である。この植物繊維素材のうち、竹素材は、竹の間引き間伐材を主材とした幹や小枝・葉、熊笹などの刈り取り廃材等を主原料とし、生のままか煮沸処理をした後、加圧圧搾し、または打壊し、若しくはその両作業によっ繊維化する。葦・藁・薄等のイネ科植物素材も生のままか煮沸処理をした後、加圧圧搾や打壊作業によって繊維化して用いる。パーム繊維も生のままか煮沸したものを打壊処理して使用する。
【００１８】
これら竹繊維とイネ科植物繊維及びパーム繊維との３種類の繊維の混合比率は、竹繊維７５乃至２５重量部、葦繊維２５乃至７５重量部の混合繊維１００重量部に対して、パーム繊維３０〜７０重量部と、バインダーとしてのデンプン１〜３重量部と、ラベンダー、レモングラス、バジル、ペパーミント、除虫菊、ショウノウ等から選択した適量の防虫剤との混合材料に、非ハロゲン燐酸エステル、非ハロゲン縮合燐酸エステル、含ハロゲン燐酸エステル、含ハロゲン縮合燐酸エステル等から選定した適量の難燃剤を混入して均等に撹拌混合するとともに、前記デンプンが吸水して粘性を生じ成形後にマットが固形化ずるのに適した量の水を加えて、全体を加圧し、撹拌し、混練した混練材を、長方形状の浅い箱皿形の成形用型枠に入れて、上方から加圧して、任意の厚さをもった長方形に成形し、これを乾燥機室内に入れて、若しくは自然乾燥棚に入れて乾燥させる。このようにして、図２に示したマット用芯材１を形成する。
【００１９】
このようなマット用芯材１を形成する他の手段としては、上記の混練材を形成する前の段階で、撹拌混合材料中に山椒の葉や、実、樹皮、小枝、唐辛子の実や、葉、茎、種子等を適宜量混合して使用することによって防黴剤として使用することができる。また、木炭粉末や竹炭粉末、消石灰、シリカ（無定形二酸化ケイ素）等や、柿渋精製液、ヒバ精製液等も適宜に混合使用することによって防黴効果を発揮させることができる。
【００２０】
このように、原材料として、従来使用されずに放棄されていた雑草のような、木材以外の自然植物を原材料として使用するものであるにもかかわらず、これを例えば畳や座布団のような身の回りの製品、即ち、人体に接することの多い製品の素材として利用しようというものであるから、防虫・防ダニ・抗菌・防カビ性に配慮し、また、万一の火災にも対応できるように難燃性を備えたものとしておくことが好ましい。
【００２１】
このようにして形成したマット用芯材１を畳の心材として使用するには、図１に示したように、芯材１の下に、約２ｍｍ程度の防塵・防湿用材としての再生紙製の厚紙製下部内装材５を敷き詰め、その下に約２ｍｍ程度の厚さに形成したパーム繊維の不織布製背面側包装材２Ｂを敷き詰め、芯材１の上にも前記再生紙製の厚紙製内装材５と同様の厚紙製の上部内装材４を積層し、更にその上に表面側包装材としての藺草製の畳表２を積層し、その畳縁を外周包装材としての縁布３で覆って、通常畳のように畳糸で縫い合わせて一体化して形成する。この畳Ｍは、通常の１畳や半畳の畳として、また、床の間用の狭幅の畳として形成し使用することもできる。
【００２２】
また、図３に示した第２の実施例は、表裏を畳表で形成した座布団Ｃであって、同図３には半裁状態で示してある。この座布団Ｃは、略正方形状に形成したマット用芯材１の表裏面と四周の外周面とを、綿花繊維を不織布状に３〜５ｍｍ厚さに形成した上下の内装材６で覆って包み込み、更にその表裏を、この内装綿６で覆った形状よりも一回り大きい面積に形成した表裏２枚の畳表２Ａ，２Ｂで表背の外周面全体を覆って、その周縁部をマット用芯材１の外側に突出させて、この突出部分を畳表２Ａ，２Ｂだけの２枚重ね状とし、この２枚重ね状とした畳縁を外周包装材としての飾り布３で、側面視横向きＵ字形に覆って縫製したものである。この座布団Ｃは、禅寺や神社の板間や一般家庭の板間や濡れ縁などでの使用に適しており、板間ばかりではなく公会堂や旅館の畳敷きの大広間や、通常の畳の上、座椅子や腰掛けの上での座布団として使用することができる。
【００２３】
形状についても、前記のマット形成時における成形用型枠の周面形状を丸形、三角形、台形、ハート形等のものとすることにより、これら任意形状のマット用芯材１を形成することができるので、そのマット用芯材１の形状に合った座布団Ｃを形成することができることは言うまでもない。また、座布団の場合、表背の包装材としては、この実施例で示した畳表である必要はなく、他の適宜の一般的な素材、即ち織布なり、不織布なり、フィルム材やシート材を使用することもできる。
【００２４】
前記した防黴剤として使用する山椒の葉や、実、樹皮、小枝、唐辛子の実や、葉、茎、種子等は乾燥したものを例えば１００〜５００μｍ、好ましくは２００μｍ程度に粉砕した粉末を繊維材中に直接混合するか、この粉末を水に混和して混合使用するのが、均等に混合させ易い点で好ましい。他の混合素材についても微粉末状としておくことによって均等混合を容易とすることができる。
【００２５】
以上本発明の代表的と思われる実施例について説明したが、本発明は必ずしもこれらの実施例に示したもののみに限定されるものではなく、本発明にいう前記の構成要件を備えていて、本発明にいう目的を達成し、前記した効果を有する範囲内において適宜改変して実施することができるものである。
【産業上の利用可能性】
【００２６】
以上の説明から既に明らかなように、本発明いうところのマットは、その芯材として一般に利用されることなく放置されていた自然植物体を利用するものであるから、自然環境に優しく、地球の浄化に役立つので、その製品は社会に見直されて、世上に受け入れられ重宝に使用される可能性が大なるものである。
【図面の簡単な説明】
【００２７】
【図１】第１実施例を示した一部切欠斜視図。
【図２】芯材の一部を示した斜視図。
【図３】第２実施例を示した中央縦断斜視図。
【符号の説明】
【００２８】
１  芯材
２Ａ  表面側包装材
２Ｂ  背面側包装材
３  外周包装材
４  内装材
５  内装材
６  内装材
Ｍ  畳
Ｃ  座布団
【図１】
2006239909.tif 000003
【図２】
2006239909.tif 000004
【図３】
2006239909.tif 000005